(57)【要約】【課題】回路チップのサイズを小さくでき、低価格化できるレーダ装置を提供する。【解決手段】ＶＣＯ１１の出力を２分配する第１分配器１２と、第１分配器の一方の出力を２分配する第２分配器１３と、第２分配器の一方の出力を送信アンテナＴｘＡＮＴに送る第１スイッチＳＷ１と、第２分配器の他方の出力を遅延させる遅延線路１４と、遅延線路の出力の通過可否を制御する第２スイッチＳＷ２と、受信アンテナＲｘＡＮＴの出力と遅延線路の出力を合成する合成器１５と、第１分配器の他方の出力をローカルとして合成器の出力をベースバンド（ＢＢ）に周波数変換するミキサ１６と、基準信号の周波数を最高ＢＢ周波数より低くし、ＢＢ周波数範囲に基準信号の周波数が含まれる受信サンプルに対して第２スイッチをオフにし、他の受信サンプルの基準信号の電力スペクトルが基準のスペクトルマスクの範囲に入るような電圧をＶＣＯに供給する演算部１７を備える。【選択図】図１
2008191088.tif 000002
【特許請求の範囲】
【請求項１】
周波数制御電圧に応じた周波数ｆ（ｆは正の数）で発振する信号を生成する電圧制御発振器と、
前記電圧制御発振器から出力される信号を２分配する第１分配器と、
前記第１分配器で２分配された一方の信号を２分配する第２分配器と、
前記第２分配器で２分配された一方の信号を送信信号として送信期間だけ送信アンテナに送る第１スイッチと、
前記第２分配器で２分配された信号の他方を遅延させる遅延線路と、
前記遅延線路で遅延された信号の通過の可否を制御する第２スイッチと、
受信アンテナから送られてくる受信信号と前記遅延線路から前記第２スイッチを介して送られてくる信号とを合成する合成器と、
前記第１分配器で２分配された他方の信号をローカルとして前記合成器で合成された信号をベースバンドに周波数変換するミキサと、
前記遅延線路の出力をベースバンドに周波数変換した基準信号の周波数を、最大検知距離と最高相対速度とによって決定される測定信号の最高ベースバンド周波数より低くし、受信期間の複数の受信サンプルのうち検知距離範囲と最高相対速度とによって決定されるベースバンド周波数範囲に基準信号の周波数が含まれる受信サンプルに対しては前記第２スイッチをオフにし、他の受信サンプルの中の少なくとも１つの基準信号の高速フーリエ変換により求めた電力スペクトルが基準のスペクトルマスクの範囲に入るように前記電圧制御発振器に供給する周波数制御電圧を生成する演算部と、
を備えたことを特徴とするレーダ装置。
【請求項２】
前記第１分配器から送られてくる信号を、該信号の振幅が掃引周期の先頭から漸増し、その後、最後尾に向けて漸減するように変調して前記第２分配器に送る振幅変調器を備えたことを特徴とする請求項１記載のレーダ装置。
【請求項３】
前記合成器から送られてくる信号を、該信号の振幅が掃引周期の先頭から漸増し、その後、最後尾に向けて漸減するように変調して前記ミキサに送る振幅変調器を備えたことを特徴とする請求項１記載のレーダ装置。
【請求項４】
前記ミキサから送られてくる信号を、該信号の振幅が掃引周期の先頭から漸増し、その後、最後尾に向けて漸減するように変調して前記演算部に送る振幅変調器を備えたことを特徴とする請求項１記載のレーダ装置。
【請求項５】
前記電圧制御発振器から送られてくる信号をＮ逓倍（Ｎは正の整数）して前記第１分配器に送るＮ逓倍器を備え、
前記電圧制御発振器は、周波数ｆ／Ｎで発振する信号を生成することを特徴とする請求項１乃至請求項４のいずれか１項記載のレーダ装置。
【請求項６】
前記第１分配器から送られてくる信号をＭ逓倍（Ｍは正の整数）して前記第２分配器に送るＭ逓倍器を備え、
前記ミキサは、ハーモニックミキサから成り、
前記電圧制御発振器は、周波数ｆ／Ｍで発振する送信信号を生成することを特徴とする請求項１、請求項３または請求項４記載のレーダ装置。
【請求項７】
前記第１分配器から送られてくる信号をＭ逓倍（Ｍは正の整数）して前記振幅変調器に送るＭ逓倍器を備え、
前記ミキサは、ハーモニックミキサから成り、
前記電圧制御発振器は、周波数ｆ／Ｍで発振する送信信号を生成することを特徴とする請求項２記載のレーダ装置。
【請求項８】
前記電圧制御発振器から送られてくる信号をＮ逓倍（Ｎは正の整数）して前記第１分配器に送るＮ逓倍器を備え、
前記電圧制御発振器は、周波数ｆ／（Ｎ・Ｍ）で発振する送信信号を生成することを特徴とする請求項６または請求項７記載のレーダ装置。
【請求項９】
前記送信アンテナおよび前記受信アンテナに代えて、
送信および受信を共用する送受共用アンテナと、
前記第２分配器から前記第１スイッチを介して送られてくる送信信号を前記送受共用アンテナに送り、かつ、前記送受共用アンテナからの受信信号を前記合成器に送るサーキュレータ
と、
を備えたことを特徴とする請求項１乃至請求項８のいずれか１項記載のレーダ装置。
【請求項１０】
前記送信アンテナおよび前記受信アンテナに代えて、
送信および受信を共用する送受共用アンテナと、
前記第２分配器から前記第１スイッチを介して送られてくる送信信号を前記送受共用アンテナに送るか、前記送受共用アンテナからの受信信号を前記合成器に送るかを切り換える切り換えスイッチと、
を備えたことを特徴とする請求項１乃至請求項８のいずれか１項記載のレーダ装置。
【請求項１１】
前記第２分配器に入力される信号を電力増幅する電力増幅器と、
前記合成器から出力される信号を低雑音増幅する低雑音増幅器と、
を備えたことを特徴とする請求項１乃至請求項１０のいずれか１項記載のレーダ装置。
【請求項１２】
前記第２分配器で２分配された一方の信号を送信期間だけ電力増幅する電力増幅器を備えたことを特徴とする請求項１乃至請求項１０のいずれか１項記載のレーダ装置。
【請求項１３】
前記合成器に入力される受信信号を受信期間だけ低雑音増幅する低雑音増幅器を備えたことを特徴とする請求項１乃至請求項１０のいずれか１項記載のレーダ装置。
【請求項１４】
前記基準のスペクトルマスクは、測定された遅延線路の遅延時間または回路損失のばらつきに基づいて設定されることを特徴とする請求項１乃至請求項１３のいずれか１項記載のレーダ装置。
【請求項１５】
前記遅延線路は、モノリシックマイクロ波集積回路上の薄膜弾性波デバイスからなることを特徴とする請求項１乃至請求項１４のいずれか１項記載のレーダ装置。
【発明の詳細な説明】
【技術分野】
【０００１】
本発明は、ＦＭＩＣＷ（Frequency Modulated Interrupted Continuous Wave）方式を採用するレーダ装置に関し、特に送信信号を遅延させた信号に基づく基準信号を使って、周波数変調精度を向上させる技術に関する。
【背景技術】
【０００２】
図２３は、ＦＭＣＷ（Frequency Modulated Continuous Wave）方式を採用した従来のレーダ装置の動作を説明するための図である。目標までの距離をＲ、光速をｃとすると、送信信号Ｔｘが目標で反射し、受信信号Ｒｘとして戻ってくるまでの遅延時間τは、「τ＝２・Ｒ／ｃ」となる。掃引時間をＴ、掃引帯域幅をＢとすると、遅延時間によるベースバンド周波数Δｆは、「Δｆ＝τ・Ｂ／Ｔ＝２・Ｒ・Ｂ／（ｃ・Ｔ）」となる。
【０００３】
目標との相対速度をｖ、送信信号Ｔｘの波長をλとすると、ドップラ周波数は、「２・v／λ」となるので、アップスイープのベースバンド周波数ｆｕｐは、「ｆｕｐ＝−２・Ｂ・Ｒ／（ｃ・Ｔ）−２・v／λ」、ダウンスイープのベースバンド周波数ｆｄｏｗｎは、「ｆｄｏｗｎ＝２・Ｂ・Ｒ／（ｃ・Ｔ）−２・v／λ」となる。距離Ｒは、アップスイープのベースバンド周波数ｆｕｐとダウンスイープのベースバンド周波数ｆｄｏｗｎを使って、「Ｒ＝−ｃ・Ｔ・（ｆｕｐ−ｆｄｏｗｎ）／（４・Ｂ）で求めることができる。同様に、相対速度ｖは、アップスイープのベースバンド周波数ｆｕｐとダウンスイープのベースバンド周波数ｆｄｏｗｎを使って、「v＝−λ・（ｆｕｐ＋ｆｄｏｗｎ）／４」で求めることができる。
【０００４】
ＦＭＣＷ方式を採用したレーダ装置では、時間に対して周波数が線形（直線的）に変化しないと距離の精度が悪くなるので、周波数変調精度を高くする必要がある。一方、ＦＭＣＷ方式を採用したレーダ装置は、不要反射体からの反射波のクラッタ電力が大きい場合や送受のアイソレーション（遮蔽度）が不十分な場合は、目標距離及び速度の検出に誤作動が発生しやすいという問題がある。
【０００５】
このようなＦＭＣＷ方式が有する問題を解決する方法として、送信波をパルス化して送受を断続的に切り替えることにより時間的にアイソレーションを行うＦＭＩＣＷ方式が知られている。図２４は、ＦＭＩＣＷ方式を採用した従来のレーダ装置の動作を説明するための図である。図２４（ｂ）は、図２４（ａ）の先頭部分の一部を拡大して示した図であり、図２４（ｃ）は送信信号Ｔｘの送信期間を示し、図２４（ｄ）は、受信信号Ｒｘの受信期間を示している。
【０００６】
ＦＭＣＷ方式の受信サンプル間隔をＴ／Ｎｆｆｔ（Ｎｆｆｔは、ＦＦＴ（高速フーリエ変換：Fast Fourier Transform）のサンプル数）とすると、図２４に示す例では、受信サンプル間隔Ｔｋを「Ｔｋ＝Ｔ／（Ｎｆｆｔ・Ｋ）」とし、送信パルス幅Ｔｐを受信サンプル間隔Ｔｋと同じにして送信パルスのデューティファクタを１／Ｋとしている。ｋ番目の受信サンプルで受信される距離Ｒｋは、「ｃ・Ｔｐ・（ｋ−１）／２≦Ｒｋ≦ｃ・Ｔｐ・ｋ／２」であり、最高相対速度をｖｍａｘとすると、ベースバンド周波数ｆｋは、「Ｂ・Ｔｐ・（ｋ−１）／Ｔ−２・|ｖｍａｘ|／λ≦ｆｋ≦Ｂ・Ｔｐ・ｋ／Ｔ＋２・|ｖｍａｘ|／λ」の範囲に広がる。
【０００７】
送受のアイソレーションが悪い場合はＫを大きくするか、図２５に示すように、送信パルスをｔｂだけ前倒しにする。この場合、ｋ番目の受信サンプルで受信される距離Ｒｋは、「ｃ・{Ｔｐ・（ｋ−１）＋ｔｂ}／２≦Ｒｋ≦ｃ・（Ｔｐ・ｋ＋ｔｂ）／２」で、最高相対速度をｖｍａｘとすると、ベースバンド周波数ｆｋは、「Ｂ・{Ｔｐ・（ｋ−１）＋ｔｂ}／Ｔ−２・|ｖｍａｘ|／λ≦ｆｋ≦Ｂ・（Ｔｐ・ｋ＋ｔｂ）／Ｔ＋２・|ｖｍａｘ|／λ」の範囲に広がる。なお、この場合、ｋ＝Ｋでは、「ｃ・{Ｔｐ・（Ｋ−１）＋ｔｂ}／２≦Ｒｋ≦ｃ・（Ｔｐ・Ｋ＋ｔｂ）／２」からの反射波だけでなく、信号レベルの高い「０≦Ｒｋ≦ｃ・ｔｂ／２」からの反射波も混入するので、受信サンプルｋ＝１、２、・・・、（Ｋ−１）だけが測定に使用される。
【０００８】
ＦＭＣＷ方式を採用したレーダ装置の周波数変調精度を向上させる方法として、特許文献１は、センサ装置を開示している。図２６は、この特許文献１に開示されたセンサ装置の構成を示すブロック図である。以下、このセンサ装置について簡単に説明する。位相ステップ弁別器ＰＨＳＤは、入力される基準信号ｒｅｆ（ｔ）が所定の位相になった時に、測定信号ｍｅｓｓ（ｔ）をサンプリングするためのトリガを出力する。位相ステップ弁別器ＰＨＳＤは、理論的には、例えば０、π／２、π、３・π／２といった４つの位相でトリガを出力することができるが、精度が高いトリガは、基準信号ｒｅｆ（ｔ）の振幅が０となる、０およびπといった２つの位相だけである。
【０００９】
図２５に示すＦＭＩＣＷ方式を採用したレーダ装置に、特許文献１に開示された技術を適用すると、レーダの目標性能の最大検知距離Ｒｍａｘであって、かつ最高相対速度ｖｍａｘの時、標本化定理から遅延線路τｒｅｆの遅延時間を、「２・Ｒｍａｘ／ｃ＋２・Ｔ・|ｖｍａｘ|／（Ｂ・λ）」より長くする必要がある。例えば、送信周波数ｆ＝７６．５ＧＨｚ、掃引時間Ｔ＝２ｍｓ、掃引帯域幅Ｂ＝３００ＭＨｚ、Ｎｆｆｔ＝１０２４、Ｋ＝４、ｔｂ＝２０ｎｓとすると、受信サンプルｋ＝１で受信される距離は３〜７６ｍ、ｋ＝２で受信される距離は７６〜１４９ｍ、ｋ＝３で受信される距離は１４９〜２２３ｍとなる。例えば、|ｖｍａｘ|＝３００ｋｍ／Ｈとすると、受信サンプルｋ＝１で得られる測定信号のベースバンド周波数（絶対値）は０〜１１９ｋＨｚ、ｋ＝２の場合は３４〜１９２ｋＨｚ、ｋ＝３の場合は１０７〜２６５ｋＨｚの範囲に広がる。
【００１０】
例えば、Ｒｍａｘ＝１５０ｍ、|ｖｍａｘ|＝３００ｋｍ／Ｈである時の測定信号の最高ベースバンド周波数は１９３ｋＨｚとなり、遅延線路τｒｅｆの遅延時間を１．３μｓより長くする必要がある。遅延線路τｒｅｆを、例えば圧電弾性波デバイスで作るとき、伝播速度を４０００ｍ／ｓ程度とすると、遅延時間を１．３μｓとするためには機械長を５．１ｍｍ程度より長くする必要がある。
【特許文献１】特開２００１−５２４２０７号公報
【発明の開示】
【発明が解決しようとする課題】
【００１１】
上述したように、従来のＦＭＩＣＷ方式を採用したレーダ装置に特許文献１に開示された技術を適用する場合、遅延線路の機械長を長くする必要があるので、レーダ装置の回路をチップ化する場合にチップサイズの小型化が困難であるという問題がある。また、ウエハが高価であるモノリシックマイクロ波集積回路（ＭＭＩＣ：Microwave Monolithic IC）上に遅延線路を一体化すると低価格化が困難であるという問題がある。
【００１２】
本発明の課題は、回路を構成するチップのチップサイズを小さくすることができ、しかも低価格化が可能なレーダ装置を提供することにある。
【課題を解決するための手段】
【００１３】
上記課題を解決するために、本発明は、周波数制御電圧に応じた周波数ｆ（ｆは正の数）で発振する信号を生成する電圧制御発振器と、電圧制御発振器から出力される信号を２分配する第１分配器と、第１分配器で２分配された一方の信号を２分配する第２分配器と、第２分配器で２分配された一方の信号を送信信号として送信期間だけ送信アンテナに送る第１スイッチと、第２分配器で２分配された信号の他方を遅延させる遅延線路と、遅延線路で遅延された信号の通過の可否を制御する第２スイッチと、受信アンテナから送られてくる受信信号と遅延線路から第２スイッチを介して送られてくる信号とを合成する合成器と、第１分配器で２分配された他方の信号をローカルとして合成器で合成された信号をベースバンドに周波数変換するミキサと、遅延線路の出力をベースバンドに周波数変換した基準信号の周波数を、最大検知距離と最高相対速度とによって決定される測定信号の最高ベースバンド周波数より低くし、受信期間の複数の受信サンプルのうち検知距離範囲と最高相対速度とによって決定されるベースバンド周波数範囲に基準信号の周波数が含まれる受信サンプルに対しては第２スイッチをオフにし、他の受信サンプルの中の少なくとも１つの基準信号の高速フーリエ変換により求めた電力スペクトルが基準のスペクトルマスクの範囲に入るように電圧制御発振器に供給する周波数制御電圧を生成する演算部とを備えたことを特徴とする。
【発明の効果】
【００１４】
本発明によれば、基準信号の周波数を低くできるので、遅延線路の遅延時間を短くできる。例えば遅延線路を圧電弾性波デバイスで作るとき、伝播速度を４０００ｍ／ｓ程度とすると遅延時間が０．１３μｓとなる機械長は０．５３ｍｍ程度となるので、チップサイズを小型化できる。また、ウエハが高価なＭＭＩＣ上に薄膜弾性波デバイスの遅延線路を一体化しても低価格化できる。
【発明を実施するための最良の形態】
【００１５】
以下、本発明の実施の形態を、図面を参照しながら詳細に説明する。なお、以下では、本発明が車に搭載される車載レーダ装置に適用された場合について説明するが、本発明は、車載レーダ装置に限らず、種々のレーダ装置に適用できる。
【実施例１】
【００１６】
図１は、本発明の実施例１に係るレーダ装置の構成を示すブロック図である。このレーダ装置は、電圧制御発振器（ＶＣＯ：Voltage Controlled Oscillator）１１、第１分配器１２、第２分配器１３、第１スイッチＳＷ１、送信アンテナＴｘＡＮＴ、遅延線路１４、第２スイッチＳＷ２、受信アンテナＲｘＡＮＴ、合成器１５、ミキサ（ＭＩＸ）１６および演算部１７から構成されている。
【００１７】
電圧制御発振器１１は、演算部１７から送られてくる周波数制御電圧Ｖｃに応じた周波数で発振する信号を生成する。この電圧制御発振器１１で生成された信号は、第１分配器１２に送られる。第１分配器１２は、電圧制御発振器１１から送られてきた信号を、第２分配器１３とミキサ１６との２つに分配する。第２分配器は、第１分配器１２で分配された一方の信号を、第１スイッチＳＷ１と遅延線路１４との２つに分配する。
【００１８】
第１スイッチＳＷ１は、開閉スイッチから構成されており、演算部１７からの制御に応じて送信期間だけオンにされ、第２分配器１３で分配された一方の信号を、送信信号として送信アンテナＴｘＡＮＴに送る。送信アンテナＴｘＡＮＴは、第２分配器１３から第１スイッチＳＷ１を介して送られてきた送信信号を空中に放出する。
【００１９】
遅延線路１４は、第２分配器１３で分配された他方の信号を遅延時間τだけ遅延させて第２スイッチＳＷ２に送る。第２スイッチＳＷ２は、開閉スイッチから構成されており、演算部１７の制御に応じてオン／オフが制御される。この第２スイッチＳＷ２がオンされることにより、遅延線路１４から送られてきた信号が合成器１５に送られる。
【００２０】
受信アンテナＲｘＡＮＴは、送信アンテナＴｘＡＮＴから送信された電波の反射波を受信して合成器１５に送る。合成器１５は、受信アンテナＲｘＡＮＴから送られてくる受信信号と、遅延線路１４から第２スイッチＳＷ２を介して送られてくる信号とを合成し、ミキサ１６に送る。
【００２１】
ミキサ１６は、第１分配器１２で分配された他方の信号をローカル信号として、合成器１５から送られてくる信号をベースバンドに周波数変換し、演算部１７に送る。演算部１７は、詳細は後述するが、ミキサ１６から送られてくるベースバンド信号に基づき周波数制御電圧Ｖｃを生成し、電圧制御発振器１１に送る。
【００２２】
次に、上記のように構成される本発明の実施例１に係るレーダ装置の動作を説明する。このレーダ装置において、演算部１７は、以下の処理を行う。すなわち、例えば、遅延線路１４の出力をミキサ１６においてベースバンドに周波数変換した基準信号の周波数を、最大検知距離Ｒｍａｘ＝１５０ｍと最高相対速度|ｖｍａｘ|＝３００ｋｍ／Ｈとによって決定される測定信号の最高ベースバンド周波数「２・Ｒｍａｘ／ｃ＋２・Ｔ・|ｖｍａｘ|／（Ｂ・λ）＝１９３ｋＨｚ」より低い周波数２０ｋＨｚとし、受信期間の複数の受信サンプルｋ＝１、２、３のうち、検知距離範囲「ｃ・{Ｔｐ・（ｋ−１）＋ｔｂ}／２≦Ｒｋ≦ｃ・（Ｔｐ・ｋ＋ｔｂ）／２」である「３ｍ≦Ｒ１≦７６ｍ、７６ｍ≦Ｒ２≦１４９ｍまたは１４９ｍ≦Ｒ３≦２２３ｍ」と最高相対速度「|ｖｍａｘ|＝３００ｋｍ／Ｈ」とから決定されるベースバンド周波数範囲「Ｂ・{Ｔｐ・（ｋ−１）＋ｔｂ}／Ｔ−２・|ｖｍａｘ|／λ≦ｆｋ≦Ｂ・（Ｔｐ・ｋ＋ｔｂ）／Ｔ＋２・|ｖｍａｘ|／λ」である「０Ｈｚ≦ｆ１≦１１９ｋＨｚ、３４ｋＨｚ≦ｆ２≦１９２ｋＨｚまたは１０７ｋＨｚ≦ｆ３≦２６５ｋＨｚ」のうち、基準信号の周波数２０ｋＨｚが含まれる受信サンプルｋ＝１に対しては、図２（ｅ）および図３（ｅ）に示すように、第２スイッチＳＷ２をオフにし、他の受信サンプルｋ＝２、３の中の少なくとも１つの基準信号の電力スペクトルが２０ｋＨｚを中心とした基準のスペクトルマスクの範囲に入るように電圧制御発振器１１に供給する周波数制御電圧Ｖｃを生成する。
【００２３】
なお、図２は、図２４に示したＦＭＩＣＷ方式を採用した従来のレーダ装置に対応する実施例１に係るレーダ装置の動作を説明するための図であり、図３は、図２５に示したＦＭＩＣＷ方式を採用した従来のレーダ装置に対応する実施例１に係るレーダ装置の動作を説明するための図である。図４（ａ）は、各受信サンプルの検知距離範囲を、図４（ｂ）は、ベースバンド周波数範囲をそれぞれ示す図である。
【００２４】
図５は、送信周波数ｆ＝７６．５ＧＨｚ、掃引時間Ｔ＝２ｍｓ、掃引帯域幅Ｂ＝３００ＭＨｚ、ＦＦＴのサンプル数Ｎｆｆｔ＝１０２４、ＦＭＩＣＷのＫ＝４、ｔｂ＝２０ｎｓ、アンテナの指向性利得２２ｄＢ、アンテナの回路損失３ｄＢ、送信電力８ｄＢｍ、受信系の雑音指数１３ｄＢ、ダウンスイープとして、１４９．７５ｍ先の相対速度０の車（目標断面積１０ｄＢｓｍ）、１５０ｍ先の相対速度３００ｋｍ／Ｈの対向車（目標断面積１０ｄＢｓｍ）、および遅延時間０．１３μｓの遅延線路１４と第２分配器１３と合成器１５などの総合減衰量が１００ｄＢ程度の基準信号の受信サンプルｋ＝３のベースバンド出力の電圧波形を示す。
【００２５】
基準信号の２０ｋＨｚはＴ＝２ｍｓで４０周期なのでｔ＝０とｔ＝Ｔで同相になり、周期Ｔの周期現象を計算するＦＦＴでは連続波（ＣＷ）とみなされるので、電力スペクトルは、図６に示すように、２０ｋＨｚの１ポイントとなる。
【００２６】
なお、電力スペクトルの周波数分解能（１ポイント当たりの周波数）は１／Ｔ＝５００Ｈｚで、受信系の雑音指数１３ｄＢで決まるシステム雑音は−１３４ｄＢｍ／５００Ｈｚである。一方、１４９．９５ｋＨｚの車はｔ＝０ｓとｔ＝Ｔ＝２ｍｓで逆相となるのでスペクトルが広がっており、近くの車と干渉しやすい。また、遅延線路１４の遅延時間がばらついて基準信号が２０．２５ｋＨｚとなると電圧波形は、図７に示すように、ｔ＝０ｓとｔ＝Ｔ＝２ｍｓで逆相になり、電力スペクトルは、図８に示すように広がる。
【００２７】
以上説明したように、本発明の実施例１に係るレーダ装置によれば、基準信号の周波数を２０ｋＨｚと低くできるので、遅延線路１４の遅延時間を０．１３μｓと短くできる。例えば圧電弾性波デバイスで遅延線路を作るとき、伝播速度を４０００ｍ／ｓ程度とすると遅延時間が０．１３μｓとなる機械長は０．５３ｍｍ程度となるので、チップサイズを小型化できる。また、ウエハが高価なＭＭＩＣ上に薄膜弾性波デバイスの遅延線路を一体化しても低価格化を実現できる。
【実施例２】
【００２８】
図９は、本発明の実施例２に係るレーダ装置の構成を示すブロック図である。このレーダ装置は、実施例１に係るレーダ装置の第１分配器１２と第２分配器１３との間に振幅変調器２１が追加されて構成されている。
【００２９】
振幅変調器２１は、演算部１７から送られてくる波形制御電圧Ｖｗに応じて、第１分配器１２から送られてくる信号を、その信号の振幅が掃引周期の先頭から漸増し、その後、最後尾に向けて漸減するように変調し、第２分配器１３に送る。この振幅変調器２１としては、第１分配器１２から送られてくるＲＦ帯の信号の振幅を変えた時に通過位相は一定でなければならないので、可変減衰器やミキサが使用される。
【００３０】
この振幅変調器２１による変調により、送信信号Ｔｘの振幅は、掃引周期Ｔの先頭と最後尾で小さくなり、中央で大きくなる。その結果、受信信号Ｒｘの電圧波形は、図１０に示すように、掃引周期Ｔの先頭と最後尾で小さくなり、中央で大きくなるように滑らかに変化する波形になり、電力スペクトルの広がりは、図１１に示すように少なくなる。
【００３１】
ｋ＝３で、１５０ｍ先の相対速度０の車（目標断面積１０ｄＢｓｍ）、１５０ｍ先の相対速度３００ｋｍ／Ｈの対向車（目標断面積１０ｄＢｓｍ）、２０ｋＨｚの基準信号として、図１２に電圧制御発振器１１の周波数制御電圧Ｖｃに対する発振周波数ｆの傾きｄｆ／ｄＶｃのＢ／Ｔからの誤差δ（ｄｆ／ｄＶｃ）が０％（○印）、０．３３％（×印）、０．６７％（△印）の場合の電力スペクトルを示す。目標性能の最大検知距離Ｒｍａｘ＝１５０ｍの相対速度０の車の電力スペクトルは、０％では１５０ｋＨｚ中心で距離誤差０ｍ、０．３３％では１５０．５ｋＨｚ中心で距離誤差０．５ｍ、０．６７％では１５１ｋＨｚ中心で距離誤差１ｍとなる。２０ｋＨｚの電力スペクトルを拡大して示す図１３において、０％では２０ｋＨｚ中心で両隣は左右対称、０．３３％では両隣が０％に対して±３ｄＢ程度ずれ、０．６７％では両隣が０％に対して±５ｄＢ程度ずれる。従って、両隣のずれを例えば±５ｄＢ以下とするスペクトルマスクに基準信号の電力スペクトルが入るような周波数制御電圧Ｖｃを生成すれば、距離精度を１ｍ以下にできる。
【実施例３】
【００３２】
図１４は、本発明の実施例３に係るレーダ装置の構成を示すブロック図である。このレーダ装置は、実施例１に係るレーダ装置の合成器１５とミキサ１６との間に振幅変調器２１が追加されて構成されている。
【００３３】
振幅変調器２１は、演算部１７から送られてくる波形制御電圧Ｖｗに応じて、合成器１５から送られてくる信号を、その信号の振幅が掃引周期の先頭から漸増し、その後、最後尾に向けて漸減するように変調し、ミキサ１６に送る。この振幅変調器２１としては、合成器１５から送られてくるＲＦ帯の信号の振幅を変えた時に通過位相は一定でなければならないので、可変減衰器やミキサが使用される。
【００３４】
この振幅変調器２１による変調により、ミキサ１６に入力される信号の振幅は、掃引周期Ｔの先頭と最後尾で小さくなり、中央で大きくなる。その結果、ミキサ１６に入力される信号の電圧波形は、図１０に示すように、掃引周期Ｔの先頭と最後尾で小さくなり、中央で大きくなるように滑らかに変化する波形になり、電力スペクトルの広がりは、図１１に示すように少なくなる。この実施例３に係るレーダ装置によれは、上述した実施例２に係るレーダ装置と同様の作用および効果を奏する。
【実施例４】
【００３５】
図１５は、本発明の実施例４に係るレーダ装置の構成を示すブロック図である。このレーダ装置は、実施例１に係るレーダ装置のミキサ１６と演算部１７との間に振幅変調器２１が追加されて構成されている。
【００３６】
振幅変調器２１は、演算部１７から送られてくる波形制御電圧Ｖｗに応じて、ミキサ１６から送られてくる信号を、その信号の振幅が掃引周期の先頭から漸増し、その後、最後尾に向けて漸減するように変調し、演算部１７に送る。この振幅変調器２１は、アナログ回路またはディジタル回路による信号処理によって実現することができる。
【００３７】
この振幅変調器２１による変調により、演算部１７に入力される信号の振幅は、掃引周期Ｔの先頭と最後尾で小さくなり、中央で大きくなる。その結果、演算部１７に入力される信号の電圧波形は、図１０に示すように、掃引周期Ｔの先頭と最後尾で小さくなり、中央で大きくなるように滑らかに変化する波形になり、電力スペクトルの広がりは、図１１に示すように少なくなる。この実施例４に係るレーダ装置によれは、上述した実施例２に係るレーダ装置と同様の作用および効果を奏する。
【実施例５】
【００３８】
図１６は、本発明の実施例５に係るレーダ装置の構成を示すブロック図である。このレーダ装置は、実施例１に係るレーダ装置の電圧制御発振器１１と第１分配器１２との間にＮ逓倍器２２が追加されるとともに、電圧制御発振器１１が電圧制御発振器１１ａに変更されて構成されている。
【００３９】
電圧制御発振器１１ａは、実施例１に係る電圧制御発振器１１で発生される周波数ｆの１／Ｎ（Ｎは正の整数）の周波数、つまり周波数ｆ／Ｎで発振する信号を生成し、Ｎ逓倍器２２に送る。Ｎ逓倍器２２は、電圧制御発振器１１ａから送られてくる信号の周波数をＮ逓倍し、第１分配器１２に送る。
【実施例６】
【００４０】
図１７は、本発明の実施例６に係るレーダ装置の構成を示すブロック図である。このレーダ装置は、実施例１に係るレーダ装置の第１分配器１２と第２分配器１３との間にＭ逓倍器２３が追加されるとともに、電圧制御発振器１１が電圧制御発振器１１ａに変更され、さらに、ミキサ１６がハーモニックミキサ（ＭＩＸ）１６ａに変更されて構成されている。
【００４１】
電圧制御発振器１１ｂは、実施例１に係る電圧制御発振器１１で発生される周波数ｆの１／Ｍ（Ｍは正の整数）の周波数、つまり周波数ｆ／Ｍで発振する信号を生成し、第１分配器１２に送る。Ｍ逓倍器２３は、第１分配器１２から送られてくる信号の周波数をＭ逓倍し、第２分配器１３に送る。ハーモニックミキサ１６ａは、第１分配器１２から送られてくる信号の高調波成分をローカル信号として、合成器１５から送られてくる信号をベースバンドに周波数変換し、基準信号として演算部１７に送る。
【００４２】
なお、この実施例６に係るレーダ装置においては、Ｍ逓倍器２３は、実施例１に係るレーダ装置の第１分配器１２と第２分配器１３との間に設けるように構成したが、以下のように変形することもできる。すなわち、Ｍ逓倍器２３は、実施例３または実施例４に係るレーダ装置の第１分配器１２と第２分配器１３との間に設けるように構成でき、実施例２に係るレーダ装置の第１分配器１２と振幅変調器２１との間に設けるように構成できる。
【実施例７】
【００４３】
図１８は、本発明の実施例７に係るレーダ装置の構成を示すブロック図である。このレーダ装置は、実施例６に係るレーダ装置の電圧制御発振器１１ｂと第１分配器１２との間にＮ逓倍器２２が追加されるとともに、電圧制御発振器１１が電圧制御発振器１１ｃに変更されて構成されている。
【００４４】
電圧制御発振器１１ｂは、実施例６に係る電圧制御発振器１１で発生される周波数ｆ／Ｍの１／Ｎの周波数、つまり周波数ｆ／（Ｍ・Ｎ）で発振する信号を生成し、第１分配器１２に送る。Ｎ逓倍器２２は、電圧制御発振器１１ｃから送られてくる信号の周波数をＮ逓倍し、第１分配器１２に送る。
【００４５】
なお、この実施例７に係るレーダ装置においては、Ｍ逓倍器２３は、実施例６に係るレーダ装置の電圧制御発振器１１ｂと第１分配器１２との間に設けるように構成したが、実施例６の変形例に係るレーダ装置の電圧制御発振器１１ｂと第１分配器１２との間に設けるように構成することもできる。
【実施例８】
【００４６】
図１９は、本発明の実施例８に係るレーダ装置の構成を示すブロック図である。このレーダ装置は、実施例１に係るレーダ装置の送信アンテナＴｘＡＮＴおよび受信アンテナＲｘＡＮＴが除去され、送受共用アンテナＡＮＴおよびサーキュレータ３１が追加されて構成されている。
【００４７】
送受共用アンテナＡＮＴは、サーキュレータ３１から送られてきた送信信号を空中に放出するとともに、送信された電波の反射波を受信してサーキュレータ３１に送る。サーキュレータ３１は、第２分配器１３から第１スイッチＳＷ１を介して送られてくる送信信号Ｔｘを送受共用アンテナＡＮＴに送るとともに、送受共用アンテナＡＮＴから送られてくる受信信号Ｒｘを合成器１５に送る。その他の構成および動作は、実施例１に係るレーダ装置と同じである。
【実施例９】
【００４８】
図２０は、本発明の実施例９に係るレーダ装置の構成を示すブロック図である。このレーダ装置は、実施例１に係るレーダ装置の送信アンテナＴｘＡＮＴ、受信アンテナＲｘＡＮＴおよび第１スイッチＳＷ１が除去され、送受共用アンテナＡＮＴおよび切り換えスイッチＳＷ３が追加されて構成されている。
【００４９】
送受共用アンテナＡＮＴは、切り換えスイッチＳＷ３から送られてきた送信信号を空中に放出するとともに、送信された電波の反射波を受信して切り換えスイッチＳＷ３に送る。切り換えスイッチＳＷ３は、第２分配器１３から送られてくる送信信号Ｔｘを送受共用アンテナＡＮＴに送るか、送受共用アンテナＡＮＴから送られてくる受信信号Ｒｘを合成器１５に送るかを切り換える。その他の構成および動作は、実施例１に係るレーダ装置と同じである。
【実施例１０】
【００５０】
図２１は、本発明の実施例１０に係るレーダ装置の構成を示すブロック図である。このレーダ装置は、実施例９に係るレーダ装置に、段間増幅器ＬｏＡ１、段間増幅器ＬｏＡ２、振幅変調器２１、電力増幅器ＰＡ、低雑音増幅器ＬＮＡおよび終端器Ｒが追加されるとともに、開閉スイッチである第２スイッチＳＷ２が切り換えスイッチＳＷ２’に変更されて構成されている。
【００５１】
段間増幅器ＬｏＡ１は、第１分配器１２で２分配された一方の信号を増幅して振幅変調器２１に送る。段間増幅器ＬｏＡ２は、第１分配器１２で２分配された他方の信号を増幅してミキサ１６に送る。振幅変調器２１は、実施例２に係るレーダ装置のそれと同じであり、演算部１７から送られてくる波形制御電圧Ｖｗに応じて、段間増幅器ＬｏＡ１から送られてくる信号を、その信号の振幅が掃引周期の先頭から漸増し、その後、最後尾に向けて漸減するように変調し、電力増幅器ＰＡに送る。
【００５２】
電力増幅器ＰＡは、振幅変調器２１から送られてくる信号を電力増幅し、第２分配器１３に送る。低雑音増幅器ＬＮＡは、合成器１５から送られてくる信号を低雑音増幅し、ミキサ１６に送る。ミキサ１６は、段間増幅器ＬｏＡ２から送られてくる信号をローカル信号として、低雑音増幅器ＬＮＡから送られてくる信号をベースバンドに周波数変換し、基準信号として演算部１７に送る。
【００５３】
切り換えスイッチＳＷ２’は、遅延線路１４から送られてくる信号を合成器１５に送らないタイミングでは、遅延線路１４の出力端子を終端器Ｒに接続する。これにより、遅延線路１４の多重反射が軽減されるようになっている。
【実施例１１】
【００５４】
図２２は、本発明の実施例１１に係るレーダ装置の構成を示すブロック図である。このレーダ装置は、実施例１０に係るレーダ装置において、第２分配器１３の前段に配置されていた電力増幅器ＰＡが第２分配器１３の後段に移動されるとともに、合成器１５の後段に配置されていた低雑音増幅器ＬＮＡが合成器１５の前段に移動されて構成されている。また、これら電力増幅器ＰＡおよび低雑音増幅器ＬＮＡは、演算部１７からの制御により、オン／オフが制御できるようになっている。
【００５５】
このレーダ装置においては、第２分配器１３で２分配された一方の信号は、電力増幅器ＰＡで電力増幅された後に、送信信号Ｔｘとして、切り換えスイッチＳＷ３を介して送受共用アンテナＡＮＴに送られる。また、送受共用アンテナＡＮＴから切り換えスイッチＳＷ３を介して送られてくる受信信号Ｒｘは、低雑音増幅器ＬＮＡで低雑音増幅された後に、合成器１５に送られる。その他の構成および動作は、実施例１０に係るレーダ装置の構成および動作と同様である。
【００５６】
なお、上述した各実施例に係るレーダ装置においては、遅延線路１４の遅延時間または回路損失のばらつきを測位器（図示せず）により測定し、測定されたばらつきに基づいて基準のスペクトルマスクを設定し記憶部に記憶させるように構成することができる。
【００５７】
また、上述した各実施例に係るレーダ装置において使用される遅延線路１４は、ＭＭＩＣ上の薄膜弾性波デバイスから構成することができる。
【産業上の利用可能性】
【００５８】
本発明は、マイクロ波レーダ装置、ミリ波レーダ装置、マイクロ波センサ装置、ミリ波センサ装置、超音波センサ装置などに利用可能である。
【図面の簡単な説明】
【００５９】
【図１】本発明の実施例１に係るレーダ装置の構成を示すブロック図である。
【図２】本発明の実施例１に係るレーダ装置の動作を説明するための図である。
【図３】本発明の実施例１に係るレーダ装置の他の動作を説明するための図である。
【図４】本発明の実施例１に係るレーダ装置における受信サンプルの検知距離範囲およびベースバンド周波数範囲を説明するための図である。
【図５】本発明の実施例１に係るレーダ装置における所定条件下でのベースバンド出力の電圧波形を示す図である。
【図６】本発明の実施例１に係るレーダ装置における所定条件下での電力スペクトルを示す図である。
【図７】本発明の実施例１に係るレーダ装置における遅延回路がばらついた場合のベースバンド出力の電圧波形を示す図である。
【図８】本発明の実施例１に係るレーダ装置における遅延回路がばらついた場合の電力スペクトルの広がりを説明するための図である。
【図９】本発明の実施例２に係るレーダ装置の構成を示すブロック図である。
【図１０】本発明の実施例２に係るレーダ装置における受信信号の電圧波形を示す図である。
【図１１】本発明の実施例２に係るレーダ装置における電力スペクトルを示す図である。
【図１２】本発明の実施例２に係るレーダ装置における電力スペクトルを示す図である。
【図１３】本発明の実施例２に係るレーダ装置における電力スペクトルを示す図である。
【図１４】本発明の実施例３に係るレーダ装置の構成を示すブロック図である。
【図１５】本発明の実施例４に係るレーダ装置の構成を示すブロック図である。
【図１６】本発明の実施例５に係るレーダ装置の構成を示すブロック図である。
【図１７】本発明の実施例６に係るレーダ装置の構成を示すブロック図である。
【図１８】本発明の実施例７に係るレーダ装置の構成を示すブロック図である。
【図１９】本発明の実施例８に係るレーダ装置の構成を示すブロック図である。
【図２０】本発明の実施例９に係るレーダ装置の構成を示すブロック図である。
【図２１】本発明の実施例１０に係るレーダ装置の構成を示すブロック図である。
【図２２】本発明の実施例１１に係るレーダ装置の構成を示すブロック図である。
【図２３】ＦＭＣＷ方式を採用した従来のレーダ装置の動作を説明するための図である。
【図２４】ＦＭＩＣＷ方式を採用した従来のレーダ装置の動作を説明するための図である。
【図２５】図２４に示すレーダ装置を改良した従来のレーダ装置の動作を説明するための図である。
【図２６】図２５に示すレーダ装置の周波数変調精度を向上させた従来のセンサ装置を説明するための図である。
【符号の説明】
【００６０】
１１、１１ａ、１１ｂ、１１ｃ  電圧制御発振器（ＶＣＯ）
１２  第１分配器
１３  第２分配器
１４  遅延線路
１５  合成器
１６  ミキサ（ＭＩＸ）
１６ａ  ハーモニックミキサ（ハーモニックＭＩＸ）
１７  演算部
２１  振幅変調器
２２  Ｎ逓倍器
２３  Ｍ逓倍器
３１  サーキュレータ
ＳＷ１  第１スイッチ
ＳＷ２  第２スイッチ
ＳＷ３、ＳＷ３’  切り換えスイッチ
ＴｘＡＮＴ  送信アンテナ
ＲｘＡＮＴ  受信アンテナ
ＡＮＴ  送受共用アンテナ
ＬｏＡ１、ＬｏＡ２  段間増幅器
ＰＡ  電力増幅器
ＬＮＡ  低雑音増幅
Ｒ  終端器
【図１】
2008191088.tif 000003
【図２】
2008191088.tif 000004
【図３】
2008191088.tif 000005
【図４】
2008191088.tif 000006
【図５】
2008191088.tif 000007
【図６】
2008191088.tif 000008
【図７】
2008191088.tif 000009
【図８】
2008191088.tif 000010
【図９】
2008191088.tif 000011
【図１０】
2008191088.tif 000012
【図１１】
2008191088.tif 000013
【図１２】
2008191088.tif 000014
【図１３】
2008191088.tif 000015
【図１４】
2008191088.tif 000016
【図１５】
2008191088.tif 000017
【図１６】
2008191088.tif 000018
【図１７】
2008191088.tif 000019
【図１８】
2008191088.tif 000020
【図１９】
2008191088.tif 000021
【図２０】
2008191088.tif 000022
【図２１】
2008191088.tif 000023
【図２２】
2008191088.tif 000024
【図２３】
2008191088.tif 000025
【図２４】
2008191088.tif 000026
【図２５】
2008191088.tif 000027
【図２６】
2008191088.tif 000028